(57)【要約】      （修正有）【課題】  不織布等の吸水シートを内蔵して吸水性を確保しながら食品類の装入箇所が定められて機械による自動詰納を可能とし、加えて包装袋の開口端のヒートシールを確実になし得る包装袋を提供する。【解決手段】  包装袋内に該袋と略同大の吸水シートとしての不織布２を内装してその左右側部および下端部を包装袋１の左右側部３，３および下端底部４のヒートシールと共に融着して一体化され、包装袋１の開口端１ｃ側の不織布２の先端２ａは包装袋１の開口端１ｃより所要距離Ｌだけ袋内に退没した位置におかれるよう短く形成されており、この不織布２の先端２ａを包装袋１の一方の面１ｂの内面に融着固定した構成にある。【選択図】  図１
2006341910.tif 000002
【特許請求の範囲】
【請求項１】
プラスチックフィルムにより構成される包装袋において、包装袋内に該袋と略同大の吸水シートを内装してその左右側部および下端部を包装袋の左右側部および下端底部のヒートシールと共に融着して一体化され、包装袋の開口端側の吸水シートの先端は包装袋の開口端縁より所要距離袋内に退没した位置におかれるよう短く形成されており、この吸水シートの先端が包装袋の一方の面の内面に融着されていることを特徴とする包装袋。
【請求項２】
包装袋の一方の面にその包装袋に詰納する食品類の商品名、商品の絵柄等の表示が施され、この面とは反対側の面の内面に前記吸水シートの先端が融着されており、商品が前記表示がなされている面と吸水シートとの間に装入されるようになされている請求項１記載の包装袋。
【請求項３】
前記吸水シートが不織布である請求項１または２記載の包装袋。
【請求項４】
前記不織布はサーマルボンド不織布である請求項３記載の包装袋。
【発明の詳細な説明】
【技術分野】
【０００１】
本発明は、包装袋に係り、特に吸水機能を備えた包装袋に関する。
【背景技術】
【０００２】
油分や水分を含有する食品類をプラスチックフィルム製の包装袋に装入して密封し、販売に供するとき、食品類から分離する油分や水分が包装袋内に溜り、これが再び食品に付着するとベトつき感が生じ、食品の風味や食感を損うなど、早期に商品価値を失うという問題をもたらす。
【０００３】
そこで従来から、食品から出る油分や水分を吸収して食品の風味を保持するため、不織布等の吸水シートを食品と一緒に包装袋内に装入して封止し、包装するようになされている。
【０００４】
しかして上記のように食品と吸水シートを包装袋内に同時に装入して封止することは面倒な工程を必要とし、特に機械による自動詰納を行うことは極めて難しいという問題がある。
【０００５】
そこで従来から、プラスチックフィルム製包装袋の内部に該包装袋と同大の熱融着可能な不織布を予め組み込んでおき、食品装入の都度吸水シートを装入する必要をなくした包装袋が用いられている。
【０００６】
上記従来の吸水シート組み込み型の包装袋の構造は、図４（Ａ）〜（Ｃ）に略示断面を示すようになされていた。
【０００７】
すなわち図４（Ａ）の構造は、包装袋ａの一方の面ａ１の内面に吸水シートとしての不織布ｂが前面接着（溶着）された構成であり、また図４（Ｂ）の構造は上記の包装袋の場合と同様に包装袋ａの一方の面ａ１の内面に不織布ｂを重ね、包装袋ａの左右側部および下端底部で一体に溶着するとともに包装袋ａの開口端ｃの位置で面ａ１の内面に溶着された構成である。
【０００８】
しかるに図４（Ａ）のように不織布ｂを包装袋ａの一方の面ａ１の内面全域を溶着させたものでは、不織布ｂが面ａ１に密着しているため吸水性（ドリップ性）に乏しく、十分な吸水をなさしめることができないという問題点がある。
【０００９】
図４（Ｂ）のように包装袋ａの側部、下端底部、および開口端で不織布ｂを溶着させたものでは、不織布ｂの中央部の範囲が包装袋ａの内面とは分離されているので吸水性能を十分に発揮させることはできるが、食品装入後包装袋ａの開口端ｃをヒートシールにより封止するとき、包装袋ａの開口端ｃの面ａ１，ａ２間に不織布ｂが介在することになるため、しわが入ったりしてヒートシール自体難しく、完全密封状態にシールするうえにおいて問題があった。
【００１０】
このようなことから、図４（Ｃ）に略示するように、不織布ｂを包装袋ａの両側部および下端底部にのみ溶着し、不織布ｂの上端は包装袋ａの開口端ｃより若干短くしてフリーの状態とし、食品装入後不織布ｂの存在に災いされることなく包装袋ａのシーラント層のみでヒートシールを可能とすることが考えられる。
【００１１】
しかしこの構造を採用すると、開口端ｃの封止は問題なく行うことができたとしても、包装袋ａ内に食品を機械により自動詰納するとき不織布ｂのいずれの面側に装入されるかその装入方向が定まらず、そのため包装袋ａの一面の外面に商品名やその絵柄などが印刷表示されている場合にその表示側の面の内側に不織布ｂが存在してしまうと表示面側から商品が透視できなくなり、販売上好ましくない結果を招くことになる。したがってこの構造の包装袋の場合には商品を手詰めする以外にはなかった。
【特許文献１】特開２００１−１９９４５１号公報
【発明の開示】
【発明が解決しようとする課題】
【００１２】
本発明は、不織布等の吸水シートを内蔵して吸水性を確保しながら食品類の装入箇所が定められて機械による自動詰納を可能とし、特に包装袋の開口端のヒートシールを確実になし得るようにすることを課題とする。
【課題を解決するための手段】
【００１３】
上記課題を解決する手段として本発明は、プラスチックフィルムにより構成される包装袋において、包装袋内に該袋と略同大の吸水シートを内装してその左右側部および下端部を包装袋の左右側部および下端底部のヒートシールと共に融着して一体とし、包装袋の開口端側の吸水シートの先端は包装袋の開口端縁より所要距離袋内に退没した位置におかれるよう短く形成し、この吸水シートの先端を包装袋の一方の面の内面に融着した構成にある。
【００１４】
包装袋の一方の面にその包装袋に詰納する食品類の商品名、商品の絵柄等の表示が施される場合は、この面とは反対側の面の内面に前記吸水シートの先端を融着するようにして、商品を機械により自動詰納しても商品が前記表示がなされている面と吸水シートとの間に必ず装入されるようにすることができる。
【００１５】
前記吸水シートとしては不織布、なかでもサーマルボンド製法による不織布を用いることが好ましい。
【発明の効果】
【００１６】
本発明によれば、包装袋に内蔵される吸水シートの先端を包装袋の長さより若干短くして包装袋内に退没した構成とするとともに左右側部、下端底部を包装袋と一体にヒートシールし、吸水シートの先端は包装袋の一方の面の内面に融着させた構成とされており、吸水シートの中央部分の大半は包装袋とは離間されているので、包装袋内に油分や水分を含む食品類を装入したときその油分や水分を十分に吸水する能力を発揮させることができ、食品類の風味を損うことなく包装することができる。
【００１７】
また吸水シートの先端が包装袋の開口端縁より若干退没した位置で内面に融着した構成とされているので、食品類装入後に包装袋の開口端をヒートシールするときその包装袋のシーラント層間に吸水シートが介在せず、そのためシール部分にしわなどの発生がなく、確実にヒートシールして密閉することができる。
【００１８】
一方、包装袋の一方の面に商品名やその商品の絵柄等が印刷表示されている場合、その表示面とは反対側の面の内面に吸水シートの先端を融着させることにより、包装袋内に食品類を自動詰納しても商品を表示面と吸水シートとの間に必ず詰納することができ、機械による自動詰納を可能とすることができる。
【発明を実施するための最良の形態】
【００１９】
図１は本発明による包装袋の一実施形態の一部を破断した斜視図を、図２は図１のＡ−Ａ相当の略示断面図を示し、同図（Ａ）は商品装入前、（Ｂ）は商品詰納後の状態を示している。
【００２０】
本発明による包装袋１は、該包装袋１の表裏２つの面１ａ，１ｂの間にこれら面と略同大の吸水シートの一例として熱融着可能な不織布２が介装され、この不織布２は包装袋１の左右側部３，３および下端底部４のヒートシールと共に融着されて包装袋１と一体化されている。なおこの不織布２としてはサーマルボンド不織布を用いることが好ましい。
【００２１】
上記包装袋１の構成材料としては、従来のものと同様に、例えば強度を保つための二軸延伸フィルム（ナイロン）と、熱シールを可能とするシーラント層を構成するフィルムとの積層構造とされた透明または有色のフィルムで構成される。
【００２２】
前記不織布２の先端２ａは包装袋１の開口端１ｃ縁より所要距離Ｌだけ内方へ退没した位置におかれるよう短く形成されており、この先端２ａが包装袋１の一方の面１ｂの内面にヒートシール５により融着されている。
【００２３】
上記不織布２の退没距離Ｌは包装袋１に商品を詰納したのちその開口端１ｃをヒートシール６を施すに支障のない距離とされ、例えば包装袋１の長さＭが６００ｍｍの場合、４０ｍｍ程度、包装袋１の長さＭが３００ｍｍの場合、２０ｍｍ程度とされる。
【００２４】
上記構成において、包装袋１の一方の面１ａに、包装袋１に詰納する食品類の商品の商品名やその絵柄等が印刷により表示７がなされている場合には、不織布２の先端２ａは前記表示７がなされていない側の面１ｂの内面に融着される。
【００２５】
こうすることにより、商品詰納時に表示７の無い面１ｂと不織布２との間に商品８が詰納されることをなくし、表示７のある面１ａ側から商品８を透視することができなくなることを防ぎ、これによって機械による自動詰納を可能とすることができる。
【００２６】
上記不織布２の先端２ａの融着に関しては、例えば図３（Ａ）、（Ｂ）に模式的に示すように、白矢印方向に順次移送されて製袋する工程中に包装袋１の開口端１ｃ側から不織布２の下側にステンレススチール等の金属製基板９を挿入し、この基板９と間欠昇降する加熱体１０とで面１ｂと不織布２の先端２ａとを挟むようにしてヒートシールを行う一方、これと共に下端底部４を加熱体１１，１１で挟持してヒートシールを行う。
【００２７】
ヒートシール終了後、基板９を抜き出し、次工程で包装袋１の左右側部３，３のヒートシールを行い、所定の裁断により本発明による包装袋１が完成する。
【００２８】
なおこの製袋工程は一例を示したものであって、他に適宜な手段を用いることは任意である。
【００２９】
以上のように本発明による包装袋１は、該包装袋１に内蔵される不織布２の先端２ａが包装袋１の開口端１ｃより所要距離Ｌだけ退没した長さとしてその先端２ａだけを包装袋１の一方の面１ｂに融着した構成であるから、包装袋１内に油分や水分を含む食品類を装入したときその食品類から出る油分や水分は、四周のみが包装袋１と一体化され中央部分がフリーな状態におかれている不織布２に吸収され、食品類のベトつきが生じない。
【００３０】
商品詰納後、包装袋１の開口端１ｃをヒートシールして封止するとき、該開口端１ｃの面１ａ，１ｂ間には不織布２は存在していないのでヒートシール時に通常の包装袋と同様に確実な封着がなされる。
【図面の簡単な説明】
【００３１】
【図１】本発明による包装袋の一実施形態を示す一部破断した斜視図。
【図２】図１におけるＡ−Ａ相当の略示断面図で、（Ａ）は商品詰納前、（Ｂ）は詰納後の状態図。
【図３】図１の包装袋の製袋工程における不織布の先端の融着手段の一例を示すもので、（Ａ）は断面図、（Ｂ）は平面図。
【図４】（Ａ）〜（Ｃ）は従来の包装袋を例示する略示断面図。
【符号の説明】
【００３２】
１  包装袋
１ａ，１ｂ  面
１ｃ  開口端
２  吸水シートとしての不織布
２ａ  不織布の先端
３  側部
４  下端底部
７  表示
８  商品
９  基板
１０  加熱体
【図１】
2006341910.tif 000003
【図２】
2006341910.tif 000004
【図３】
2006341910.tif 000005
【図４】
2006341910.tif 000006